(57)【要約】【課題】携帯電話に装着されて使用状態にあるSIMカードの接点でのチャタリングを、ほぼ完全に無くす。【解決手段】カードホルダ６を回転させて開き、ICカードをスライダ５に入れる。スライダ５でICカードを保持して、スライドさせてケース４に収容する。スライダ５のスライド挿入動作によって、カード押さえバネ２でICカードを押さえるようにロックされる。同時に、接続端子３が、ICカードの電極と電気的に接続される。装着されたICカードが確実に固定されるので、ICカードの電極と接続端子３との間の導通不良によるチャタリング等を抑止できる。引出し時には、カード押さえバネ２のロックが解除されてから、ICカードが引き出される。【選択図】図１
2007026919.tif 000002
【特許請求の範囲】
【請求項１】
ＩＣカードの表側を押さえるカード押さえバネと、前記ＩＣカードの裏側にある電極と電気的に接続するための接続端子部と、前記ＩＣカードを保持して挿抜するためのスライダと、前記カード押さえバネと前記接続端子部とを保持し前記スライダを摺動可能に保持するケースと、前記ケースに嵌合して前記ケースと共にＩＣカードコネクタのハウジングを形成するカバーとを具備するＩＣカードコネクタであって、前記スライダは、前記カード押さえバネが前記ＩＣカードを押し付けて前記電極が前記接続端子部に接触する状態を維持するように、前記カード押さえバネを固定するロック手段を備えたことを特徴とするＩＣカードコネクタ。
【請求項２】
前記スライダは、前記ＩＣカードを保持する部分の長さを、前記ＩＣカードの長さより長くしてあることを特徴とする請求項１記載のＩＣカードコネクタ。
【請求項３】
前記ロック手段は、前記スライダを挿入する時には、前記ＩＣカードが最奥部に装着される前に前記カード押さえバネを固定し、前記スライダを引き出す時には、前記ＩＣカードの引出しが開始される前に前記カード押さえバネの固定を解除する手段であることを特徴とする請求項１記載のＩＣカードコネクタ。
【請求項４】
前記スライダは、前記ＩＣカードを収納し、前記ＩＣカードの取り付けと取り外しの時に回転して開閉するカードホルダを備えたことを特徴とする請求項１記載のＩＣカードコネクタ。
【請求項５】
前記カバーは、前記カード押さえバネが前記ＩＣカードを押さえている状態において、前記スライダにかかる力を受け止めて前記スライダの位置を規制する手段であることを特徴とする請求項１記載のＩＣカードコネクタ。
【発明の詳細な説明】
【技術分野】
【０００１】
本発明は、ICカードコネクタに関し、特に、携帯電話機のSIMカードなどを確実に固定するためのICカードコネクタに関する。
【背景技術】
【０００２】
GSM方式やW-CDMA方式の携帯電話システムでは、携帯電話ネットワークに対応したSIMカードを携帯電話機に装着することで、複数の携帯電話ネットワークと接続できる。SIM（Subscriber Identify Module：加入者識別モジュール）カードとは、GSM方式の携帯電話機にセットして使用するICカードである。GSM（Global System for Mobile Communications）規格は、ヨーロッパで開発されたデジタル携帯電話の標準システムである。SIMカードには、加入者や電話会社の情報など、携帯端末を機能させるために必要な情報のほとんどが記録されている。GSM方式の電話機は、このSIMカードをセットして初めて使用できるという仕組みになっている。日本から海外に出た時など、ローミングサービスが提供されていない場合は、移動先のエリアにおけるSIMカードに交換することにより、そのエリアで通話が可能になる。
【０００３】
携帯電話機に、SIMカードを装着する構造としては、例えば、携帯電話機の本体裏面の電池を装着する電池装着溝部に、単一のSIMカードを装着するものがある。電池の装着面側に、１ないし複数のSIMカードを装着するものもある。SIMカードの装着状態で携帯電話機の電源を入れると、SIMカード内に記憶されている各種情報を読み取って、その情報に基づいて電話ネットワークに接続する。以下に、SIMカードを携帯電話機に装着する従来技術の例をいくつかあげる。
【０００４】
特許文献１に開示された「メモリカードコネクタ」は、メモリカードへのアクセス中の誤操作及びチャタリングを防止するメモリカードコネクタである。図５（ａ）に示すように、メモリカードコネクタは、筐体に着脱自在に収納される。筐体から突出した状態でメモリカードがセットされるトレイを用いる。トレイが筐体に収納されると、トレイにセットされたメモリカードが、筐体の外部から隔離される。操作者がアクセス中のメモリカードへ触れることができないので、誤操作を防止することができる。トレイセンサ、制御部、トレイ開閉スイッチ及び有無センサにより、自動的にメモリカードへ電力供給し、チャタリングを防止する。
【０００５】
特許文献２に開示された「携帯電話のSIMカード取り付け構造」は、特別の専用部品を使用せず安価で、かつ、装着状態の確認と取り外しを容易に行うことができる携帯電話機のSIMカード取り付け構造である。図５（ｂ）に示すように、SIMカードがはめ込まれるように形成されたSIMカード取り付け用の有底の穴部が、携帯電話機の表面側筐体の背面部に設けられている。弾性部材の押さえ部の一端が筐体の背面部に一体成形で取り付けられて穴部の上方に延び、弾性的にSIMカードを押圧する。弾性部材のSIMカード用電極端子が、穴部の底に、SIMカードの電極に対向する位置に取り付けられている。押さえ部の一端は、携帯電話機の縦方向の、SIMカード取り付け用の穴部の端部に、縦方向板ばねとして働くように取り付けられている。押さえ部は、押さえ部に適正な弾性を与え、かつ、SIMカードの操作を容易にするための切り欠き部を有する。
【０００６】
特許文献３に開示された「スライダ付きカードコネクタ」は、構造が簡素で、コンパクトで、カードのコネクタに対する挿入排出操作が簡便なカードコネクタである。図６（ａ）に示すように、カバーで被覆されているハウジングは、複数のコンタクトを有する。スライダは、ハウジングにスライド可能に保持されている。ハウジングとカバーとスライダに設置されたカム機構で、スライダのロック及びロック解除を制御する。シャッタで、スライダからのカードの脱出を防止する。シャッタは、スライダにヒンジによって回転可能に取り付けられる。ICカードのコネクタへの挿入及びコネクタからの排出を行う際、シャッタを押すことによって、ICカードを保持するスライダとシャッタは共にスライドする。
【０００７】
特許文献４に開示された「携帯電話機のSIMカード取付構造」は、SIMカードの紛失や破損等を防止するものである。単一のSIMカード装着部に、同時に２枚のSIMカードを装着できる。２枚のSIMカードのうち、使用するSIMカードの選択操作が簡単にできる。図６（ｂ）に示すように、携帯電話機本体の筺体の一部又は電池の一部に、SIMカードの電極に対応する接点が設けられている。基板と並行なピンにより回動可能なヒンジ部材が、基板の端部に設けられている。ピンと直角方向の回動軸が、ヒンジ部材の側面に設けられている。両面にSIMカードを搭載可能なSIMカード保持板が、回動軸に設けられている。
【特許文献１】特開2002-216082号公報
【特許文献２】特開2002-218032号公報
【特許文献３】特開2004-213999号公報
【特許文献４】特開2004-228694号公報
【発明の開示】
【発明が解決しようとする課題】
【０００８】
しかし、ICカードを装着するための従来の構造では、ICカードと本体との接点におけるチャタリングなどを完全に無くすことはできなかった。特に、携帯電話のバイブレータの振動やスピーカの音響振動により、接点が瞬間的に離れることがあり、誤動作につながるという問題がある。ICカードを装着してから、接点を接続する形式のコネクタでは、酸化物皮膜を除去できず、接触不良が発生するという問題がある。接点を摺動させながら装着する形式のコネクタでは、接点の磨耗が速いという問題がある。
【０００９】
本発明の目的は、上記従来の問題を解決して、携帯電話機のICカードのコネクタにおけるチャタリングをほぼ完全に無くすことである。
【課題を解決するための手段】
【００１０】
上記の課題を解決するために、本発明では、ICカードの表側を押さえるカード押さえバネと、ICカードの裏側にある電極と電気的に接続するための接続端子部と、ICカードを保持して挿抜するためのスライダと、カード押さえバネと接続端子部とを保持しスライダを摺動可能に保持するケースと、ケースに嵌合してケースと共にICカードコネクタのハウジングを形成するカバーとを具備するICカードコネクタのスライダに、カード押さえバネをロックする手段を備えた構成とした。また、スライダの長さを、ICカードの長さより長くして、挿入時には、カード押さえバネがロックされてからICカードが装着され、引出し時には、カード押さえバネのロックが解除されてからICカードが引き出される構成とした。
【発明の効果】
【００１１】
上記のように構成したことにより、小型軽量のICカードコネクタで、動作中のICカードと本体接点との間のチャタリングをほぼ完全に無くすことができる。
【発明を実施するための最良の形態】
【００１２】
以下、本発明を実施するための最良の形態について、図１〜図４を参照しながら詳細に説明する。
【実施例】
【００１３】
本発明の実施例は、ICカードの裏側にある電極と電気的に接続するための接続端子部と、カード押さえバネとが、ケースに保持され、ケースに摺動可能に保持されるスライダに、ICカードの表側を押さえるカード押さえバネをロックする手段と、ケースに嵌合してケースと共にICカードコネクタのハウジングを形成するカバーとを備え、スライダの長さを、ICカードの長さより長くして、挿入時には、カード押さえバネがロックされてからICカードが装着され、引出し時には、カード押さえバネのロックが解除されてからICカードが引き出されるようにしたICカードコネクタである。
【００１４】
図１は、本発明の実施例におけるICカードコネクタの外観斜視図と分解斜視図と、ICカードコネクタの接点を示す斜視図と平面図である。図１において、カバー１は、ICカードを包むカバーである。カード押さえバネ２は、ICカードの表側を押さえるバネである。接続端子３は、ICカードの裏側にある電極と電気的に接続するための端子である。ケース４は、ICカードを収容するケースである。スライダ５は、ICカードを保持してケースに対して摺動する部材である。カードホルダ６は、ICカードの手前端部の位置を規制する開閉可能な部材である。
【００１５】
図２と図３は、ICカードコネクタからICカードを取り出す様子を示す斜視図である。説明のためにカバーを非表示にした状態も示してあるが、使用時にはカバーは必要である。図４は、ICカードをICカードコネクタに着脱する様子を模式的に示す概念図である。カードホルダなどの細部は省略してある。図４（ａ-1）〜（ｆ-1）は、平面図である。図４（ａ-2）〜（ｆ-2）は、断面図である。図４において、ICカード７は、SIMカードなどの電極を有する接触型ICカードである。電極８は、ICカードと外部装置との間の電気的接続を行うための端子である。作動部９は、カード押さえバネ２の両側にあり、スライダ５と係合する部分である。ロック部10は、スライダ５の両側にあり、カード押さえバネ２の作動部９と係合する部分である。
【００１６】
上記のように構成された本発明の実施例におけるICカードコネクタの動作を説明する。最初に、図１を参照しながら、ICカードコネクタの機能の概要を説明する。図示していないが、ICカードは、スライダ５に収納される。カードホルダ６を回転させて開き、ICカードを入れ、カードホルダ６を回転させて閉じるとICカードの端部の位置が規制される。スライダ５でICカードを保持して、ケース４にスライドして収容する。スライダ５のスライド挿入動作によって、カード押さえバネ２が、ICカードを押さえるようにロックされる。接続端子３が、ICカードの電極と電気的に接続される。装着されたICカードがカード押さえバネ２で固定されるので、ICカードの電極と接続端子３との間のチャタリング等の導通不良を抑止できる。
【００１７】
カバー１は、ケース４に嵌合して、ケース４と共にICカードコネクタのハウジングを形成している。カバー１は、スライダ５の上下方向のガタつきを抑止し、スムーズなスライド動作を可能にする役割を果たす。すなわち、カード押さえバネ２がICカードを押さえる作動時に、カード押さえバネ２のバネの反作用によって、スライダ５を上方に持ち上げる力が作用するので、その力をカバー１が受けて、スライダ５が上方に行かないように位置規制している。
【００１８】
次に、ICカードコネクタの形状を説明する。ICカードコネクタの最も外側は、カバー１とケース４であり、前面を除いてICカードを包むようになっている。ケース４の底面には、接続端子３が設けられている。ケース４の側面は、スライダ５がスライドするように、ガイド構造となっている。ケース４の上面の奥半分には、カード押さえバネ２が設けられている。さらにその上には、カバー１が被せられる。スライダ５の中間部には、カード押さえバネ２の作動部と係合するロック部が設けられている。スライダ５の最奥部は、ICカードを取り出すための押出し部が設けられている。スライダ５の手前部には、カードホルダ６が設けられており、回転して開閉する扉のようになっている。閉じれば、ICカードを固定して保持することができる。しかし、カードホルダ６と押出し部の間の長さは、ICカードの長さよりわずかに長くなっているので、挿入時と取り出し時では、ICカードとスライダとの相対位置が異なるようになっている。そのため、ICカードの電極と接続端子３との接触状態が、挿入時と取り出し時では異なることになる。
【００１９】
次に、図１（ｃ）、（ｄ）を参照しながら、ICカードコネクタの接続端子を説明する。接続端子３は、ICカードの電極に適合するように設けられている。接続端子３の接触部分は二股になっており、確実に接触状態を保つことができる。接続端子３は、挿入時のみ、ICカードの電極と擦れ合うので、それぞれの表面の酸化皮膜を除去することができる。取り出し時には、最初に接続端子３が離れるので、接続端子３と電極が擦れ合うことはなく、両者の磨耗を防ぐことができる。電極と接続端子３の接触圧力を大きくしても、取り出し時には力がかからないので、取り出しに困難はない。したがって、接触状態は常に安定に維持されるので、使用中に振動などでチャタリングを起こすことはなくなる。
【００２０】
次に、図２と図３を参照しながら、ICカードをICカードコネクタから取り出す過程を説明する。図２（ａ）に示すICカードの装着状態では、スライダ５は最も奥まで挿入されている。カードホルダ６は閉まっている。スライダ５をわずかに引き出すと、ICカードはそのままの位置に留まっており、スライダ５のみが動く。このとき、カード押さえバネ２のロックが外れて、ICカードは自由に動くようになる。図２（ｂ）に示すように、スライダ５をさらに引き出すと、ICカードも共に動いて引き出される。図２（ｃ）に示すように、スライダ５を途中まで引き出すと、カードホルダ６が開くようになり、図３（ａ）と図３（ｂ）に示すように、ICカードを取り出すことができる。
【００２１】
また、スライダ５を半分だけ挿入した状態で、カードホルダ６を開いて、ICカードを入れ、カードホルダ６を閉じて、スライダ５をさらに押し込むようにして、ICカードを装着することもできる。スライダ５を最奥の直前まで挿入すると、カード押さえバネ２がロックされ、ICカードの電極が接続端子３に押さえ付けられる。この状態でスライダ５をさらに押し込むと、ICカードの電極と接続端子３の接点が擦れ合った状態でわずかに奥に進み、完全に装着される。
【００２２】
次に、図４を参照しながら、ICカードをICカードコネクタに挿入するときの状態変化の様子を説明する。図４（ａ-1）に示すように、ICカードコネクタにICカード７を挿入する。図４（ａ-2）に示すように、ICカード７は、スライダ５の手前側にある。この段階では、カード押さえバネ２の作動部９は、スライダ５のロック部10と係合していないので、カード押さえバネ２は、ICカード７を押さえていない。したがって、ICカード７にはスライダ５以外から力が加わっていない。
【００２３】
スライダ５を押し込みはじめると、図４（ｂ-1）に示すように、ICカード７は、スライダ５の手前側の部分に押されて奥側に進む。図４（ｂ-2）に示すように、カード押さえバネ２の両側の作動部９は、スライダ５のロック部10と係合を開始するので、カード押さえバネ２は、ICカード７を押さえ始める。したがって、ICカード７にはスライダ５以外からの力が加わり始める。
【００２４】
さらにスライダ５を押し込むと、図４（ｃ-1）に示すように、ICカード７は、さらに奥側に進む。図４（ｃ-2）に示すように、スライダ５のロック部10が、カード押さえバネ２の両側の作動部９を下方向に押さえるので、カード押さえバネ２は、ICカードを下方向に押さえる。その結果、ICカード７の下面の電極８と接続端子３が擦れ合い始める。
【００２５】
さらにスライダ５を押し込むと、図４（ｄ-1）に示すように、ICカード７の電極８と接続端子３が擦れ合いながら、ICカード７が最奥まで挿入される。ただし、ICカード７の奥端部とスライダ５の奥端部との間には、少しの隙間がある。図４（ｃ-2）の状態から図４（ｄ-2）の状態に変化するとき、電極８と接続端子３が擦れ合いながら相対的に動くので、ICカード７の電極８や接続端子３の表面の酸化皮膜が除去されて、接触不良を防止できる。
【００２６】
次に、図４（ｄ-1）以下を参照しながら、ICカード７を取り出すときの状態変化の様子を説明する。ICカード７が装着された図４（ｄ-1）の状態では、図４（ｄ-2）に示すように、ICカード７の電極８と接続端子３は、カード押さえバネ２の力で強く接触している。この状態からスライダ５を引き出すと、スライダ５のみが少し引き出されて、図４（ｅ-1）の状態になる。ICカード７の奥端部とスライダ５の奥端部との間には、少しの隙間があるので、両者が接するまでは、ICカード７は動かない。この間に、図４（ｅ-2）に示すように、スライダ５は、カード押さえバネ２の作動部９を上方向に解放するので、カード押さえバネ２は、ICカード７に力を加えなくなる。したがって、ICカード７の電極８と接続端子３の擦れ合いはなくなる。
【００２７】
この状態でスライダ５をさらに引くと、図４（ｆ-1）に示すように、スライダ５の奥端部がICカード７の奥端部に当接して、ICカード７を引き出す。このとき、図４（ｆ-2）に示すように、ICカード７には接続端子３が擦れ合っていないので、ICカード７に力を加えずに引き出すことができる。また、ICカード７の電極８や接続端子３の表面が磨耗することも防止できる。この後、ICカード７をスライダ５から取り出す。
【００２８】
上記のように、本発明の実施例では、ICカードコネクタを、ICカードの裏側にある電極と電気的に接続するための接続端子部と、カード押さえバネとが、ケースに保持され、ケースに摺動可能に保持されるスライダに、ICカードの表側を押さえるカード押さえバネをロックする手段と、ケースに嵌合してケースと共にICカードコネクタのハウジングを形成するカバーとを備え、スライダの長さを、ICカードの長さより長くして、挿入時には、カード押さえバネがロックされてからICカードが装着され、引出し時には、カード押さえバネのロックが解除されてからICカードが引き出されるように構成したので、小型軽量になり、動作中のICカード電極と本体接点との間のチャタリングを、ほぼ完全に無くすことができる。
【産業上の利用可能性】
【００２９】
本発明のICカードホルダは、携帯電話機のSIMカードなどを、接触不良なく確実に固定するためのICカードホルダとして最適である。その他のICカードの装着手段としても好適である。
【図面の簡単な説明】
【００３０】
【図１】本発明の実施例におけるICカードコネクタの外観斜視図と分解斜視図である。
【図２】本発明の実施例におけるICカードコネクタからICカードを取り出す様子を示す斜視図である。
【図３】本発明の実施例におけるICカードコネクタからICカードを取り出す様子を示す斜視図である。
【図４】本発明の実施例におけるICカードコネクタにICカードを着脱する様子を示す図である。
【図５】従来のカードコネクタの構成を示す概念図である。
【図６】従来のカードコネクタの構成を示す概念図である。
【符号の説明】
【００３１】
１  カバー
２  カード押さえバネ
３  接続端子
４  ケース
５  スライダ
６  カードホルダ
７  ICカード
８  電極
９  作動部
10  ロック部
【図１】
2007026919.tif 000003
【図２】
2007026919.tif 000004
【図３】
2007026919.tif 000005
【図４】
2007026919.tif 000006
【図５】
2007026919.tif 000007
【図６】
2007026919.tif 000008